(57)【要約】      （修正有）【課題】表示装置に関するものであって、光源部の交替が容易な表示装置を提供する。【解決手段】表示装置１＿１は、映像を表示する表示パネル３１と、表示パネルが配置される中間フレーム１００と、底板と側壁とを含む第１収納部５０１及び第１収納部と分割された第２収納部５０２を含む下部収納容器５００と、整列板及び整列板上に実装される点光源を含む光源部３５０とを含み、光源部は側壁に接し、第１収納部は中間フレームと結合される。第１収納部と中間フレームとの結合を解いて、第１収納部を下方に分離した後、新たな光源部を第１収納部に収納し、第１収納部と中間フレームとを結合するだけで、表示装置の光源部を容易に交替することができる。【選択図】図１Ａ
2011040388.tif 000002
【特許請求の範囲】
【請求項１】
映像を表示する表示パネルと、
前記表示パネルが配置される中間フレームと、
底板と側壁とを含む第１収納部、及び前記第１収納部と分離された第２収納部を含む下部収納容器と、
整列板及び前記整列板上に実装される点光源を含む光源部とを含み、
前記光源部は前記側壁に接し、前記第１収納部は前記中間フレームと結合されることを特徴とする表示装置。
【請求項２】
前記整列板は一面と他面とを含み、前記側壁は内面と外面とを含み、前記一面上に前記点光源が実装され、前記内面と前記他面とが接することを特徴とする請求項１に記載の表示装置。
【請求項３】
前記側壁は、前記底板から延長されて形成されることを特徴とする請求項１に記載の表示装置。
【請求項４】
前記中間フレームは、下段部と上段部とを含む側壁部を含み、前記第１収納部は前記下段部と結合されることを特徴とする請求項１に記載の表示装置。
【請求項５】
前記整列板は、プリント回路基板を含むことを特徴とする請求項１に記載の表示装置。
【請求項６】
上部収納容器と、
映像を表示する表示パネルと、
前記表示パネルが配置される中間フレームと、
側壁及び前記側壁に形成された第１孔を含む下部収納容器と、
整列板及び前記整列板上に実装される点光源を含む光源部とを含み、
前記光源部は前記下部収納容器と結合されることを特徴とする表示装置。
【請求項７】
前記光源部は、前記側壁と結合され、前記点光源は前記第１孔に挿入されることを特徴とする請求項６に記載の表示装置。
【請求項８】
前記第１孔は、前記側壁の長辺方向に対して平行に延長された形状で形成されることを特徴とする請求項７に記載の表示装置。
【請求項９】
前記整列板は、一面と他面とを含み、前記側壁は内面と外面とを含み、前記一面上に前記点光源が実装され、前記一面と前記外面とが接することを特徴とする請求項７に記載の表示装置。
【請求項１０】
前記光源部は、前記側壁と結合されるための結合部をさらに含むことを特徴とする請求項７に記載の表示装置。
【請求項１１】
前記中間フレームは、第１側壁部と第１切開部とを含み、
前記第１側壁部は、前記側壁と対向し、前記第１切開部は前記第１側壁部に形成されて前記結合部が露出することを特徴とする請求項１０に記載の表示装置。
【請求項１２】
前記上部収納容器は、第２側壁部と第２切開部とを含み、
前記第２側壁部は前記第１側壁部と対向し、前記第２切開部は前記第２側壁部に形成され、前記第１切開部と重なるように形成されることを特徴とする請求項１１に記載の表示装置。
【請求項１３】
前記下部収納容器は底板をさらに含み、前記側壁は前記底板から延長されて形成されることを特徴とする請求項６に記載の表示装置。
【請求項１４】
上部収納容器と、
映像を表示する表示パネルと、
前記表示パネルが配置される中間フレームと、
底板、前記底板から延長されて形成された側壁、及び前記底板に形成された第２孔を含む下部収納容器と、
整列板及び前記整列板上に実装される点光源を含む光源部とを含み、
前記光源部は、前記下部収納容器と結合されることを特徴とする表示装置。
【請求項１５】
前記第２孔は、前記側壁の長辺方向に対して平行に延長された形状で形成されることを特徴とする請求項１４に記載の表示装置。
【請求項１６】
前記第２孔は、第１幅と第２幅とを含み、
前記第１幅は、前記整列板の厚さより大きいか又は同じであり、前記第２幅は、前記整列板と前記点光源との厚さの和より大きいか又は同じであることを特徴とする請求項１５に記載の表示装置。
【請求項１７】
前記整列板は、一面と他面とを含み、前記側壁は内面と外面とを含み、前記一面上に前記点光源が実装され、前記他面と前記内面とが接することを特徴とする請求項１６に記載の表示装置。
【請求項１８】
前記側壁は、前記光源部と結合されるための結合部をさらに含むことを特徴とする請求項１４に記載の表示装置。
【請求項１９】
前記下部収納容器の前記側壁は、第１結合部と前記第１結合部に整列される第２結合部を含む前記光源部の前記整列板とを含み、
整列された前記第１結合部と第２結合部を結合する固定部とを含み、
前記前記光源部は、前記固定部によって前記下部収納容器に結合されることを特徴とする請求項１４に記載の表示装置。
【請求項２０】
前記中間フレームは、第１側壁部と第１切開部とを含み、
前記第１側壁部は前記側壁と対向し、前記第１切開部は前記第１側壁部に形成され、前記結合部が露出することを特徴とする請求項１８に記載の表示装置。
【請求項２１】
前記上部収納容器は、第２側壁と第２切開部とを含み、
前記第２側壁部は前記第１側壁部と対向し、前記第２切開部は前記第２側壁部に形成され、前記第１切開部と重なるように形成されることを特徴とする請求項２０に記載の表示装置。
【請求項２２】
前記光源部は、前記整列板が実装される支持部材をさらに含み、前記支持部材は前記下部収納容器に結合されることを特徴とする請求項１５に記載の表示装置。
【請求項２３】
前記支持部材は、支持板と前記支持板から延長されて形成される支持壁を含むことを特徴とする請求項２２に記載の表示装置。
【請求項２４】
前記支持板は、前記底板に結合されることを特徴とする請求項２３に記載の表示装置。
【発明の詳細な説明】
【技術分野】
【０００１】
本発明は、表示装置に関するものであって、特に光源部の交替が容易な表示装置に関するものである。
【背景技術】
【０００２】
液晶表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）の一つであって、電極が形成された２枚の基板とその間に挿入されている液晶層とからなり、電極に電圧を印加して液晶層の液晶分子を再配列させることによって透過する光の量を調節して映像を表示する装置である。
【０００３】
このような液晶表示装置は、外部光を用いて映像を表示する受動発光装置であるため、液晶層を通過する光を供給するバックライトアセンブリが要求される。バックライトアセンブリに利用される光源としては、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）、又はＬＥＤ（Ｌｉｇｈｔ  Ｅｍｉｔｔｉｎｇ  Ｄｉｏｄｅ）などが主に使用されている。
【０００４】
最近の液晶表示装置は、長期間使用するために光源部を交替できる構造が要求されている。
【先行技術文献】
【特許文献】
【０００５】
【特許文献１】特開２００６−１０８０７４号公報
【発明の概要】
【発明が解決しようとする課題】
【０００６】
従来は光源部の寿命が尽きた場合、表示装置のバックライトアセンブリ全体を交換するか、又はバックライトアセンブリ全体を分解して光源部を交替しなければならなかった。したがって、表示装置の維持補修の容易性及び経済性を高めるためには、光源部を容易に交替するための技術開発が必要とされた。
【０００７】
本発明が解決しようとする課題は、光源部を簡単に交替できる表示装置を提供することにある。
【０００８】
本発明が解決しようとする課題は、以上で言及した課題に限定されるものではなく、以上で言及していない他の課題も、以下の主な実施形態の記載から当業者に明確に理解される。
【課題を解決するための手段】
【０００９】
前記課題を解決するための本発明の一実施形態における表示装置は、映像を表示する表示パネルと、表示パネルが配置される中間フレームと、底板と側壁とを含む第１収納部及び第１収納部と分離された第２収納部を含む下部収納容器と、整列板及び整列板上に実装される点光源を含む光源部とを含み、光源部は前記側壁に接し、第１収納部は中間フレームと結合される。
【００１０】
前記課題を解決するための本発明の他の実施形態における表示装置は、上部収納容器と、映像を表示する表示パネルと、表示パネルが配置される中間フレームと、側壁及び側壁に形成された第１孔を含む下部収納容器と、整列板及び整列板上に実装される点光源を含む光源部とを含み、光源部は下部収納容器と結合される。
【００１１】
前記課題を解決するための本発明の他の実施形態における表示装置は、上部収納容器と、映像を表示する表示パネルと、表示パネルが配置される中間フレームと、底板、底板から延長されて形成された側壁、及び底板に形成された第２孔を含む下部収納容器と、整列板及び整列板上に実装される点光源を含む光源部とを含み、光源部は、下部収納容器と結合される。
【００１２】
その他の実施形態の具体的な内容は以下の発明の詳細な説明及び図面に記載されている。
【発明の効果】
【００１３】
本発明によれば、表示装置の光源部を交替するためには、第１収納部と中間フレームとの結合を解いて、第１収納部を下方に分離した後、新たな光源部を第１収納部に収納し、第１収納部と中間フレームとを結合するだけで、光源部を容易に交替することができる。
【図面の簡単な説明】
【００１４】
【図１Ａ】本発明の第１実施形態における表示装置の分解斜視図である。
【図１Ｂ】本発明の第１実施形態の変形例における表示装置の分解斜視図である。
【図２】本発明の第１実施形態における表示装置の各部材が相互に結合することを示す図である。
【図３】図１に示すＩ−Ｉ’線に沿って切断した断面図である。
【図４】図２に示すＩＩ−ＩＩ’線に沿って切断した断面図である。
【図５】本発明の第１実施形態における光源部を示す図である。
【図６Ａ】本発明の第２実施形態における表示装置の分解斜視図である。
【図６Ｂ】本発明の第２実施形態の変形例における表示装置の分解斜視図である。
【図７】本発明の第２実施形態における表示装置の光源部などの各部材が相互に結合することを示す図である。
【図８】本発明の第２実施形態における表示装置の光源部などの各部材が相互に結合することを示す図である。
【図９】図６Ａに示すＩＩＩ−ＩＩＩ’線に沿って切断した断面図である。
【図１０Ａ】本発明の第３実施形態における表示装置の分解斜視図である。
【図１０Ｂ】本発明の第３実施形態の変形例における表示装置の分解斜視図である。
【図１１】本発明の第３実施形態における表示装置の光源部などの各部材が相互に結合することを示す図である。
【図１２】本発明の第３実施形態における表示装置の光源部などの各部材が相互に結合することを示す図である。
【図１３】図１０に示すＩＶ−ＩＶ’線に沿って切断した断面図である。
【図１４】第１変形例における光源部を示す図である。
【図１５】第１変形例における表示装置の断面図である。
【発明を実施するための形態】
【００１５】
本発明の利点及び特徴、並びにそれらを達成する方法は、添付する図面とともに、後述する実施形態を参照することによって明確になる。しかし、本発明の目的は、以下に開示される実施形態に限定されず、異なる多様な実施形態によっても達成可能である。したがって、以下の実施形態は、単に、本発明の開示を十全たるものとし、当業者に本発明の範囲を認識させるために提供するものである。本発明の範囲は、あくまで請求項に記載された発明によってのみ規定される。なお、図面において、層、領域のサイズ、及びこれらの相対的なサイズは、説明の明瞭化のために誇張されている場合がある。
【００１６】
一つの素子（ｅｌｅｍｅｎｔｓ）又は層が、異なる素子又は層の「上（ｏｎ）」にあると指称される場合は、他の素子又は層の真上にある場合だけでなく、その中間に他の層又は他の素子が介在する場合も含む。これに対して、一つの素子が他の素子の「直接上（ｄｉｒｅｃｔｌｙ  ｏｎ）」、又は「真上」にあると指称される場合は、その中間に他の素子又は層が介在しない場合を示す。明細書全体において、同一参照符号は同一構成要素を指す。「及び／又は」という指称は、言及された各アイテム及び一つ以上の全てのアイテムの組合せを含む。
【００１７】
空間的に相対的な位置を示す用語である「下（ｂｅｌｏｗ）」、「下（ｂｅｎｅａｔｈ）」、「下部（ｌｏｗｅｒ）」、「上（ａｂｏｖｅ）」、又は「上部（ｕｐｐｅｒ）」などの用語は、図面に示されているように、一つの素子又は構成要素と異なる素子又は構成要素との相関関係を容易に記述するために使用されてもよい。空間的に相対的な位置を示す用語は、図示されている方向に加えて、使用時又は動作時において当該素子が取り得る他の方向を含む用語として理解される。
【００１８】
本明細書において、本発明の実施形態は、本発明の概略図である平面図及び断面図を参考にして説明される。したがって、製造技術及び／又は許容誤差などによって図示された図面の形態が変形されて実施されてもよい。したがって、本発明の実施形態は図示された特定の形態に制限されるものではなく、製造工程によって生じる形態の変化も含む。したがって、図面に例示された領域は概略的なものであり、図面に例示された領域の形状は当該素子の領域の特定の形態を例示するものであり、発明の範囲を制限するものではない。
【００１９】
以下、図１Ａ乃至図１５を参照して本発明の実施形態における表示装置について詳細に説明する。
【００２０】
まず、図１Ａ乃至図５を参照して本発明の第１実施形態における表示装置を説明する。図１Ａは、本発明の第１実施形態における表示装置の分解斜視図である。図１Ｂは、本発明の第１実施形態の変形例における表示装置の分解斜視図である。図２は、本発明の第１実施形態における表示装置の各部材が結合される状態を示す図である。図３は、図１Ａに示すＩ−Ｉ’線に沿って切断した表示装置の断面図である。図４は、図２に示すＩＩ−ＩＩ’線に沿って切断した表示装置の断面図である。図５は、本発明の第１実施形態における光源部を示す図である。
【００２１】
図１Ａを参照すると、本発明の第１実施形態における表示装置（１＿１）は、表示パネルアセンブリ３０、上部収納容器２０及びバックライトアセンブリ１０を含む。
表示パネルアセンブリ３０は、下部表示板３２、上部表示板３３を含む表示パネル３１、液晶（図示せず）、ゲートチップフィルムパッケージ３５、データチップフィルムパッケージ３４及びプリント回路基板３６を含むものでもよい。
【００２２】
表示パネル３１は、下部表示板３２と下部表示板３２に対向するように形成された上部表示板３３とを含む。下部表示板３２は、ゲートライン（図示せず）、データライン（図示せず）、薄膜トランジスタアレイ、及び画素電極などを含み、上部表示板３３はカラーフィルタ、ブラックマトリックス（ｂｌａｃｋ  ｍａｔｒｉｘ）、及び共通電極などを含む。ここでカラーフィルタ、共通電極などは下部表示板３２上に形成されてもよい。
【００２３】
ゲートチップフィルムパッケージ３５は、下部表示板３２に形成された各ゲートライン（図示せず）に接続され、データチップフィルムパッケージ３４は下部表示板３２に形成された各データライン（図示せず）に接続される。ここでゲートチップフィルムパッケージ３５及びデータチップフィルムパッケージ３４は、半導体チップがベースフィルム上に形成された配線パターンとタブ（ＴＡＢ、Ｔａｐｅ  Ａｕｔｏｍａｔｅｄ  Ｂｏｎｄｉｎｇ）技術によって接合されたタブテープ（ＴＡＢ  ｔａｐｅ）を含む。例えば、このようなチップフィルムパッケージとしては、テープキャリアパッケージ（Ｔａｐｅ  Ｃａｒｒｉｅｒ  Ｐａｃｋａｇｅ、以下「ＴＣＰ」という。）又はチップオンフィルム（Ｃｈｉｐ  Ｏｎ  Ｆｉｌｍ、以下「ＣＯＦ」という。）などが使用されてもよい。ただし、前述したチップフィルムパッケージは例示に過ぎない。
【００２４】
一方、ゲートチップフィルムパッケージ３５を使用せず、下部表示板３２上に非晶質シリコン（ａｍｏｒｐｈｏｕｓ  ｓｉｌｉｃｏｎ）を使用してゲート駆動部（図示せず）が直接実装される方式が使用されてもよい。
【００２５】
プリント回路基板３６にはゲートチップフィルムパッケージ３５にゲート駆動信号を入力し、データチップフィルムパッケージ３４にデータ駆動信号を入力するための様々な駆動部品が実装される。
【００２６】
上部収納容器２０は、表示装置１の外観を形成し、内部に表示パネルアセンブリ３０が収納される空間が形成されている。このような上部収納容器２０の中央部には表示パネル３１を外部に露出させる開放窓を含み、上部収納容器２０は中間フレーム１００を介して下部収納容器５００と結合される
【００２７】
バックライトアセンブリ１０は、中間フレーム１００、光学シート２００、導光板３００、光源部３５０、及び反射シート４００などを含む。
【００２８】
図１Ａ及び図５を参照すると、光源部３５０は光を発する一つ以上の点光源３５２と整列板３５１とを含むものでもよい。光源部３５０は、導光板３００などにより表示パネル３１に光を供給する。
【００２９】
点光源３５２は、光を直接放出する発光素子を含む。例えば、点光源３５２としては発光ダイオード（Ｌｉｇｈｔ  Ｅｍｉｔｔｅｄ  Ｄｉｏｄｅ、以下「ＬＥＤ」という。）が使用されてもよい。発光ダイオード（ＬＥＤ）には演色性が優秀で消費電力が低いという長所がある。ここで、発光ダイオード（ＬＥＤ）はフレーム（図示せず）及びフレーム内部に実装された赤色、緑色、及び青色の発光チップ（図示せず）を含むのもでもよい。これらの各発光チップから放出される赤色光、緑色光及び青色光を混合して白色光を作ってもよい。あるいは、赤色、緑色、及び青色の発光チップ（図示せず）の上に蛍光層（図示せず）を形成することによって白色光を表示してもよい。
【００３０】
整列板３５１は、点光源３５２を所定の方向に整列するために使用されてもよい。整列板３５１は一面３５１ａと他面３５１ｂとを含むものでもよい。整列板３５１の一面３５１ａ上には点光源３５２が実装される。このとき、整列板３５１の上には複数の点光源３５２が実装されてもよい。この場合、複数の点光源３５２は各々所定間隔に離隔されて配置される。また、整列板３５１の上の点光源３５２は所定の方向に整列されてもよい。例えば、整列板３５１の上の点光源３５２は整列板３５１の長辺方向に対して平行となるように配置されてもよい。
【００３１】
一方、整列板３５１は点光源３５２に電源を供給する機能を有するものでもよい。このため、整列板３５１は回路（図示せず）を含むものでもよい。すなわち、点光源３５２は整列板３５１に形成された回路によって外部電源に接続されてもよく、これによって点光源３５２は光を発することができる。これに伴い、整列板３５１は点光源３５２と外部電源との間を接続するために、プリント回路基板（ｐｒｉｎｔｅｄ  ｃｉｒｃｕｉｔ  ｂｏａｒｄ、以下「ＰＣＢ」という。）を含むものとしてもよい。プリント回路基板（ＰＣＢ）によって整列板３５１の上に実装された複数の点光源３５２は互いに電気的に接続されてもよい。
【００３２】
一方、点光源３５２から発せられた光の利用効率を高めるために、点光源３５２が実装された整列板３５１の一面３５１ａ上には、反射性部材（図示せず）が形成されてもよい。
【００３３】
導光板３００は、光源部３５０から供給される光を表示パネルアセンブリ３０に導く役割を果たす。導光板３００はアクリルのようなプラスチック系の透明な物質からなるパネルで形成されてもよい。導光板３００は光源部３５０から発生した光が導光板３００の上部に位置する表示パネル３１の方向に進むようにするものでもよい。
【００３４】
光学シート２００は、導光板３００の上部に設置されて導光板３００から伝達される光を拡散して集光する役割を果たす。光学シート２００は拡散シート、プリズムシート、及び保護シートのうち一つ以上から形成されてもよく、拡散シート、プリズムシート、及び保護シートの機能を全て有する複合的な機能を有する光学シート２００から形成されてもよい。すなわち、光学シート２００は、下部に拡散機能を有するように形成し、上部にはプリズムパターン（図示せず）を形成し、プリズムパターンの上に保護層（図示せず）を形成してもよい。
【００３５】
反射シート４００は、導光板３００の下部に設置され、導光板３００の下部に放出される光を上部に反射する。反射シート４００は、導光板３００の下部に位置し、導光板３００の底面に形成された微細なドットパターンによって反射されなかった光を再び導光板３００の出射面側に反射させることによって、表示パネル３１に入射する光の損失を減らすと共に、導光板３００の出光面を透過する光の均一性を向上させる役割を果たす。反射シート４００は、別のシート形式で挿入されてもよく、別のシート形式ではない下部収納容器５００に反射効率の高い物質を塗布して形成された反射パターンによって形成されてもよい。このような反射シート４００は、分割された下部収納容器５００に応じて分割して挿入されてもよい。すなわち、反射シート４００を、第１収納部５０１、第２収納部５０２及び第３収納部５０３の形状に合うように分割して各々挿入してもよい。
【００３６】
図１Ａ、図３及び図４を参照すると、中間フレーム１００は内部に光学シート２００、導光板３００を収納する。このような中間フレーム１００は、中央に開放窓が形成されており、導光板３００及び光学シート２００を通過した光が開放窓を通過する。すなわち、中間フレーム１００は内部に開放窓が形成された長方形の枠組み形状で形成されてもよい。中間フレーム１００はモールドによって形成されてもよい。
【００３７】
中間フレーム１００は、側壁部（１１０ａ、１１０ｂ）と配置部（１２１ａ、１２１ｂ）とを含む。
【００３８】
側壁部（１１０ａ、１１０ｂ）は、下段部１１１ａ、１１１ｂと上段部（１１２ａ、１１２ｂ）とを含む。ここで、側壁部（１１０ａ、１１０ｂ）のうち上段部（１１２ａ、１１２ｂ）は上部収納容器２０と接する。下段部１１１ａ、１１１ｂの一部１１１ｂは下部収納容器５００と結合される。これについては後述する。
【００３９】
配置部（１２１ａ、１２１ｂ）は、側壁部の内側から突出して形成される。配置部（１２１ａ、１２１ｂ）は表示パネル３１が配置されるところであり、配置部の底面と下部収納容器５００の底板（５１１、５１２）との間の空間には光学シート２００、導光板３００、及び反射シート４００などが収納されてもよい。
【００４０】
図１Ａ、図３及び図４を参照すると、下部収納容器５００は第１収納部５０１、第２収納部５０２及び第３収納部５０３を含む。第１収納部５０１と第２収納部５０２とは互いに分割されている。
【００４１】
第１収納部５０１、第２収納部５０２及び第３収納部５０３は結合され、導光板３００、光学シート２００、反射シート４００及び光源部３５０を収納する。このような下部収納容器５００は金属板材を用いて板金加工などの方法によって形成されてもよい。
【００４２】
第１収納部５０１は、底板５１１と側壁５３１とを含むものでもよい。側壁５３１は底板５１１の一端部を折り曲げて形成されてもよい。すなわち、側壁５３１は底板５１１から延長されて形成されてもよい。このような側壁５３１は内面５３１ａと外面５３１ｂを含む。このとき、下部収納容器５００に収納される光源部３５０は側壁５３１と接するように収納されてもよい。具体的には、光源部３５０は側壁５３１の内面５３１ａと光源部３５０を構成する整列板３５１の他面とが接するように下部収納容器５００内に収納されてもよい。これによって、光源部３５１から発生する熱が下部収納容器５００に直接伝達され、放熱特性が向上する。すなわち、下部収納容器と光源部３５０との間に光源部を覆うカバーが介在する場合、下部収納容器とカバーとの間に空気層が生じることは避けられない。これによって、光源部３５１から発生した熱は空気層によって下部収納容器に伝達されにくく、光源部の温度が上昇し、光源部の寿命が短縮される。本発明の第１実施形態による場合、光源部３５１から発生する熱が下部収納容器５００に直接伝達され、光源部３５０の温度上昇を防止することができ、光源部の寿命が短縮されることを防止することができる。
【００４３】
図１Ａ、図２及び図４を参照すると、下部収納容器５００の第１収納部５０１と中間フレーム１００とが結合される。
【００４４】
第１収納部５０１と中間フレーム１００とは多様な方式で結合されてもよい。例えば、第１収納部５０１と中間フレーム１００とがねじ９１で結合される場合を説明する。
【００４５】
第１収納部５０１は第１結合部５２１を含む。ここで、第１結合部５２１はねじ９１が結合されるように、第１収納部５０１の一部が貫通する孔の形状で形成されてもよい。
【００４６】
一方、中間フレーム１００は、側壁部１１０ｂの下段部１１１ｂに第２結合部１２１を含む。第２結合部１２１には、第１結合部５２１を通過したねじ９１が結合される。第２結合部１２１は下段部１１１ｂの一部が湾入した溝の形状に形成されてもよい。
【００４７】
結果的に、第１結合部５２１、ねじ９１及び第２結合部１２１によって第１収納部５０１と中間フレーム１００とが結合されてもよい。
【００４８】
前述したように、本発明の第１実施形態における表示装置（１＿１）は下部収納容器５００が第１収納部５０１、第２収納部５０２及び第３収納部に分離しており、第１収納部５０１が中間フレーム１００に結合されているため、第１収納部５０１に収納された光源部３５０を容易に交替することができる。すなわち、光源部３５０を交替するためには、第１収納部５０１と中間フレーム１００との結合を解いて、第１収納部５０１を下方に分離した後、新たな光源部３５０を第１収納部５０１に収納し、第１収納部５０１と中間フレーム１００とを結合するだけで、光源部３５０を交替することができる。また、光源部３５０を下方に分離した後に交替するため、光源部３５０を側方に分離して交替する場合に伴う他の素子との摩擦を最小化することができ、表示装置１の安全性を確保することができる。
【００４９】
一方、図１Ｂは、本発明の第１実施形態の変形例における表示装置を示す図である。図１Ｂに示す表示装置（１＿２）は下部収納容器５１０が第１収納部５０４と第２収納部５０５とを含み、光源部３５０が導光板３１０の一側にのみ配置され、導光板３１０がくさび型であることを除き、図１Ａの表示装置（１＿１）と同一であるため、反復される説明は省略する。ただし、導光板３１０はくさび型に限定されるものではなく、例えば平面形でもよい。
【００５０】
次に、図６Ａ乃至図９を参照して本発明の第２実施形態における表示装置を説明する。図６Ａは、本発明の第２実施形態における表示装置の分解斜視図である。図６Ｂは、本発明の第２実施形態の変形例における表示装置の分解斜視図である。図７及び図８は、光源部などの各部材が相互に結合することを示す図である。図９は、図６Ａに示すＩＩＩ−ＩＩＩ’線に沿って切断した断面図である。説明の便宜上、第１実施形態の図面に示す各部材と同一機能を有する部材は同一符号で示し、その説明は省略する。
【００５１】
図６Ａ及び図７乃至図９を参照すると、本発明の第２実施形態における表示装置（２＿１）は上部収納容器８００、中間フレーム１５０及び下部収納容器６００を含む。
【００５２】
下部収納容器６００は、底板６１１と側壁６３１とを含む。側壁６３１は底板６１１の一端部を折り曲げて形成されてもよい。すなわち、側壁６３１は底板６１１から延長されて形成されてもよい。側壁６３１は内面６３１ａと外面６３１ｂとを含む。また、側壁６３１は第１孔６３３を含む。
【００５３】
一方、前述したように、光源部３５０は整列板３５１と点光源３５２とを含む。整列板３５１は一面３５１ａと他面３５１ｂとを含む。整列板３５１の一面３５１ａ上には点光源３５２が実装される。
【００５４】
一方、光源部３５０は側壁６３１に結合される。このとき、側壁６３１の外面６３１ｂと整列板３５１の一面３５１ａとが互いに接するように光源部３５０と側壁６３１とが相互に結合される。
【００５５】
一方、光源部３５０の点光源３５２は第１孔６３３に挿入される。点光源３５２を第１孔６３３に挿入できるように、第１孔６３３の幅は点光源３５２の幅と同一又はこれより大きく形成されてもよい。ここで、点光源３５２が整列板３５１の上に複数実装される場合、第１孔６３３も点光源３５２の数に対応するように複数形成されてもよい。
【００５６】
点光源３５２の数と第１孔６３３の数とは必ずしも対応する必要はない。すなわち、一つの第１孔６３３内に複数の点光源３５２のうちの一部が挿入されてもよい。例えば、１２個の点光源３５２が整列板３５１上に実装される場合、一つの第１孔６３３に２つの点光源３５２が挿入される場合であれは、第１孔６３３は６つ形成されてもよい。また、一つの第１孔６３３に３つの点光源３５２が挿入される場合であれば、第１孔６３３は４つ形成されてもよい。このとき、複数形成される第１孔６３３は各々所定の間隔に隔離されて側壁６３１の長辺方向に対して平行に延長された形状で形成されてもよい。
【００５７】
一方、図８を参照すると、点光源３５２が整列板３５１の上に複数実装される場合でも、第１孔６３７は一つのみ形成されてもよい。すなわち、第１孔６３７は複数の点光源３５２全てが挿入されるように形成されてもよい。このとき、第１孔６３７は整列板３５１又は側壁６３１の長辺方向に対して平行に延長された形状で形成されてもよい。
【００５８】
一方、光源部３５０と側壁６３１とは多様な方式で結合されてもよい。例えば、光源部３５０と側壁６３１とがねじ９３で結合される場合を説明する。
光源部３５０は、側壁６３１に結合するための第１結合部３３１を含む。第１結合部３３１は、ねじ９３を結合するために整列板３５１の一部を貫通する孔の形状で形成されてもよい。
【００５９】
一方、側壁６３１は第２結合部６３５を含む。第２結合部６３５は第１結合部３３１を通過したねじ９３によって結合される。第２結合部６３５は、側壁６３１の一部が湾入した溝の形状で形成されてもよい。
【００６０】
結果的に、第１結合部３３１、ねじ９３及び第２結合部６３５により、光源部３５０と下部収納容器６００とが結合されてもよい。
【００６１】
本発明の第２実施形態による場合、光源部３５０が側壁６３１の外面６３１ｂに結合されることによって、光源部３５０の点光源３５２から発せられる光を均一に混ぜることができる。すなわち、第２実施形態による場合、光源部３５０が側壁６３１の内面６３１ａに結合される場合よりも、整列板３５１の厚さ及び側壁６３１の厚さの和に相当する距離だけ光源部３５０の点光源３５２が導光板３００から後退するため、後退した距離だけ点光源３５２から発せられた光が均一に混ざる空間を確保することができる。これによって、表示品質が優れた表示装置２を提供することができる。
【００６２】
図６Ａ及び図７乃至図９を参照すると、中間フレーム１５０は第１側壁部１５２、第１切開部１５３及び配置部１５４を含む。第２実施形態の中間フレーム１５０は第１実施形態の中間フレーム１００と実質的に同一であるため、以下では同一の内容については説明を省略する。
【００６３】
第１側壁部１５２は、下部収納容器６００の側壁６３１と対向するように形成される。第１切開部１５３は第１側壁部１５２に形成される。また、第１切開部１５３は光源部３５０に形成された第１結合部３３１が外部に露出するように形成される。ここで、第１切開部１５３は第１側壁部１５２の下段から上段方向に湾入するように形成されてもよい。
【００６４】
図６Ａ及び図７乃至図９を参照すると、上部収納容器８００は第２側壁部８１１、第２切開部８２１を含む。
【００６５】
第２側壁部８１１は、中間フレーム１５０の第１側壁部１５２と対向するように形成される。第２切開部８２１は第２側壁部８１１に形成される。また、第２切開部８２１は中間フレーム１５０の第１切開部１５３と重なる位置に形成される。ここで、第２切開部８２１は第２側壁部８１１の下段から上段方向に湾入するように形成されてもよい。
【００６６】
第１切開部１５３及び第２切開部８２１により、光源部３５０の結合部３３１が外部に露出することによって、中間フレーム１５０や上部収納容器８００の全体を分解しなくても、光源部３５０を下部収納容器６００から分離することができる。これによって、容易に光源部３５０を交替することができる。
【００６７】
一方、前述したように、第２実施形態に用いられる下部収納容器６００が、第１実施形態の下部収納容器５００とは異なり、分割されない一体型である場合について説明した。しかし、第２実施形態で用いられる下部収納容器６００はこれに限定されるものではなく、第１実施形態で用いられる下部収納容器５００と同様に第１収納部５０１と第２収納部５０２とに分割されてもよい。
【００６８】
一方、図６Ｂは、本発明の第２実施形態の変形例による表示装置を示す図である。図６Ｂに示す表示装置（２＿２）は、下部収納容器６１０の側壁のうちいずれか一つの側壁にのみ第１孔６３３が形成されており、光源部３５０が導光板３１０の一側にのみ配置され、導光板３１０がくさび型であることを除き、図６Ａの表示装置（２＿１）と同一であるため、反復される説明は省略する。ただし、導光板３１０はくさび型に限定されるものではなく、例えば平面形でもよい。
【００６９】
次に、図１０Ａ乃至図１５を参照して本発明の第３実施形態及び第３実施形態の第１変形例（以下、「第１変形例」という。）における表示装置を説明する。図１０Ａは、本発明の第３実施形態における表示装置の分解斜視図である。図１０Ｂは、本発明の第３実施形態の変形例における表示装置の分解斜視図である。図１１及び図１２は、光源部などの各部材が相互に結合することを示す図である。図１３は、図１０Ａに示すＩＶ−ＩＶ’線に沿って切断した断面図である。図１４は、第１変形例における光源部を示す図である。図１５は、第１変形例における表示装置の断面図である。説明の便宜上、第１及び第２実施形態の図面に示す各部材と同一機能を有する部材は同一符号で示し、その説明は省略する。
【００７０】
図１０Ａ及び図１１乃至図１３を参照すると、本発明の第３実施形態における表示装置（３＿１）は上部収納容器８００、中間フレーム１５０及び下部収納容器７００を含む。
【００７１】
下部収納容器７００は底板７１１と側壁７３１とを含む。側壁７３１は底板７１１の一端部を折り曲げて形成されてもよい。すなわち、側壁７３１は底板７１１から延長されて形成されてもよい。側壁７３１は内面７３１ａと外面７３１ｂとを含む。
【００７２】
底板７１１には第２孔７１５が形成される。第２孔７１５は側壁７３１の長辺方向に対して平行に延長された形状で形成される。第２孔７１５は光源部３５０が通過できるように充分な幅を有するように形成されてもよい。すなわち、第２孔７１５は、光源部３５０の整列板３５１の厚さと点光源３５２の厚さとに該当する幅を有するように形成されてもよい。これとは異なり、図１２を参照すると、第１孔７１５は第１幅（Ｗ１）と第２幅（Ｗ２）とを含むものでもよい。ここで、第１幅（Ｗ１）は整列板３５１の厚さと同じか又はそれより大きく形成されてもよい。第２幅（Ｗ２）は、整列板３５１と点光源３５２との厚さの合計と同一か又はそれより大きく形成されてもよい。このとき、第１幅（Ｗ１）は第２幅（Ｗ２）より小さく形成されてもよい。一方、第１幅（Ｗ１）と第２幅（Ｗ２）とは互いに接続され、全体的に一つの第２孔７１５を成す。
【００７３】
図１１乃至図１３を参照すると、第２孔７１５を通過した光源部３５０は下部収納容器７００と結合される。このとき、整列板３５１の他面３５１ｂが側壁７３１の内面７３１ａと接するように光源部３５０と下部収納容器７００とが結合される。
【００７４】
一方、光源部３５０と側壁７３１とは多様な方式で結合されてもよい。例えば、光源部３５０と側壁７３１とがねじ９５で結合される場合を説明する。
【００７５】
側壁７３１は光源部３５０と結合するための第１結合部７３５を含む。第１結合部７３５は、ねじ９５が結合されるように側壁７３１の一部が貫通する孔の形状で形成されてもよい。
【００７６】
一方、光源部３５０は第２結合部３３２を含む。第２結合部３３２には第１結合部７３５を通過したねじ９５が結合される。第２結合部３３２は整列板３５１の一部が湾入した溝の形状で形成されてもよい。第１結合部７３５、ねじ９５及び第２結合部３３２によって、光源部３５０と下部収納容器７００とが結合されてもよい。
【００７７】
図１０Ａ及び図１１乃至図１３を参照すると、中間フレーム１５０は第１側壁部１５２、第１切開部１５３及び配置部１５４を含む。また、上部収納容器８００は第２側壁部８１１、第２切開部８２１を含む。第３実施形態の中間フレーム１５０と上部収納容器８００とは、第１切開部１５３及び第２切開部８２１によって下部収納容器７００の側壁７３１の第１結合部７３５が露出することを除き、第２実施形態の中間フレーム１５０と上部収納容器８００と実質的に同一であるため、反復される説明は省略する。
【００７８】
第１切開部１５３及び第２切開部８２１によって、側壁７３１の結合部７３５が外部に露出するため、中間フレーム１５０や上部収納容器８００の全体を分解しなくても、光源部３５０を下部収納容器７００から分離することができる。これによって、簡単に光源部３５０が交替できる。
【００７９】
図１０Ａ、図１４及び図１５を参照すると、第１変形例の光源部３５０は支持部材３６０をさらに含む。
【００８０】
支持部材３６０は、支持板３６１と支持壁３６２を含む。支持壁３６２は支持板３６１の一端部を折り曲げて形成されてもよい。すなわち、支持壁３６２は支持板３６１から延長されて形成されてもよい。一方、整列板３５１は支持部材３６０の上に実装される。特に、整列板３５１は支持壁３６２上に実装されてもよい。
【００８１】
一方、支持壁３６２、整列板３５１及び整列板３５１の上に実装された点光源３５２は下部収納容器７００の底板７１１の第２孔７１５を通過する。その後、光源部３５０が下部収納容器７００内に収納されるように支持部材３６０と下部収納容器７００とが結合される。
【００８２】
支持部材３６０と下部収納容器７００とは多様な方式で結合されてもよい。例えば、支持部材３６０と下部収納容器７００とがねじ９７で結合される場合を説明する。
【００８３】
支持部材３６０は、下部収納容器７００と結合されるために支持板３６１の第１結合部３６３を含む。ここで、第１結合部３６３はねじ９７が結合できるように、支持板３６１の一部が貫通する孔の形状で形成されてもよい。
【００８４】
一方、下部収納容器７００は第２結合部７２５を含む。このとき、第２結合部７２５は下部収納容器７００の底板７１１に形成される。第２結合部７２５は第１結合部３６３を通過したねじ９７が結合される。第２結合部７２５は底板７１１の一部が湾入した溝の形状で形成されてもよい。すなわち、底板７１１と支持板３６１とが相互に結合されてもよい。
【００８５】
結果的に、第１結合部３６３、ねじ９７及び第２結合部７２５によって、光源部３５０と下部収納容器７００とが結合されてもよい。
【００８６】
支持板３６１の第１結合部３６３により、中間フレーム１５０や上部収納容器８００の全体を分解しなくても、光源部３５０を下部収納容器７００から分離することができる。これによって、容易に光源部３５０が交替される。
【００８７】
一方、前述したように、第３実施形態及び第１変形例で使用された下部収納容器７００は、第１実施形態の下部収納容器５００とは異なり、分割されない一体型である場合について説明した。しかし、第３実施形態及び第１変形例で使用される下部収納容器７００はこれに限定されるものではなく、第１実施形態で使用される下部収納容器５００と同様に、第１収納部５０１と第２収納部５０２とに分割してもよい。
【００８８】
一方、図１０Ｂは、本発明の第３実施形態の変形例における表示装置を示す図である。図１０Ｂに示す表示装置（３＿２）は下部収納容器７１０の底板の一側にのみ第２孔７１６が形成され、光源部３５０が導光板３１０の一側にのみ配置され、導光板３１０がくさび型であることを除き、図１０Ａの表示装置（３＿１）と同一であるため、反復される説明は省略する。ただし、導光板３１０はくさび型に限定されるものではなく、例えば平面形でもよい。
【００８９】
以上、添付する図面を参照して本発明の実施形態について説明したが、本発明の属する技術分野における通常の知識を有する者は、本発明が、その技術的思想や必須の特徴を変更しない範囲で他の具体的な形態で実施されてもよいことを理解することができる。したがって、上記実施形態は全ての面で例示的なものであり、これらに限定するものではないと理解されなければならない。
【図１Ａ】
2011040388.tif 000003
【図１Ｂ】
2011040388.tif 000004
【図２】
2011040388.tif 000005
【図３】
2011040388.tif 000006
【図４】
2011040388.tif 000007
【図５】
2011040388.tif 000008
【図６Ａ】
2011040388.tif 000009
【図６Ｂ】
2011040388.tif 000010
【図７】
2011040388.tif 000011
【図８】
2011040388.tif 000012
【図９】
2011040388.tif 000013
【図１０Ａ】
2011040388.tif 000014
【図１０Ｂ】
2011040388.tif 000015
【図１１】
2011040388.tif 000016
【図１２】
2011040388.tif 000017
【図１３】
2011040388.tif 000018
【図１４】
2011040388.tif 000019
【図１５】
2011040388.tif 000020